(57)【特許請求の範囲】
【請求項１】
前部に突起部を備えた中底であって、
上記突起部は、前足部の回内運動を円滑に行わせるように、平面視で半月状に突設され、該半月状の凸となる方向がつま先方向に向いて形成されて、母趾および第２趾の中足骨を支持する第１突起を有する中底。
【請求項２】
請求項１において、上記突起部は、前足部の回内運動を円滑に行わせるように、中足趾節関節の前方に突設されて、足趾の趾節を支持する第２突起を有する中底。
【請求項３】
請求項１において、上記突起部は、前足部の回内運動を円滑に行わせるように、平面視で半月状に突設されて、第３趾および第４趾の中足骨遠位部後方を支持する第３突起を有する中底。
【請求項４】
請求項１から３のいずれかに記載の中底を備えた靴。
【請求項５】
請求項４において、上記靴は、靴底の土踏まず部に靴底の材質よりも硬い材質の細長いシャンク部を備え、上記シャンク部の長手方向に沿った中心線が、靴底に生じる上記前足部の回内運動の回転軸に平面視で合致しているか、またはほぼ平行である靴。
【発明の詳細な説明】
【０００１】
【発明の属する技術分野】
本発明は、前部に突起部を備えた中底およびこの中底を備えた靴に関し、特に前足部の回内運動を円滑に行わせて自然な歩行運動をサポートする突起部に関する。
【０００２】
【従来の技術】
従来から、ヒール部を有する靴やウォーキングシューズの靴の中底前部において、中足骨パッドを前足部の中足骨下に入れて、荷重により痛みを生じる部分を圧迫から保護することが知られている。しかし、従来の中足骨パッドは、単に圧迫に対する保護のみで、外反母趾の予防を考慮したものではなかった。
【０００３】
一方、履物の中底前部に突起部を設けることにより、外反母趾を予防することも従来から試みられている。例えば、実用新案登録番号第３００３９７０号公報には、足母指（母趾）と足第２指（第２趾）との間に対接する位置において母趾線に並んで突設される第１凸部を設けて、母趾と第２趾とを無理に分離させることなく、母趾を母趾線に沿わせて外反母趾を予防することが記載されている。
【０００４】
【発明が解決しようとする課題】
しかし、上記従来の突起部は、母趾と第２趾の間に介在させるものであることから、母趾および第２趾に依然として負担がかかり、外反母趾の予防には必ずしも十分といえないものであった。
【０００５】
また、母趾および第２趾は、足の踵部で着地したのち前足部へ体重移動し、前足部（特に母趾）で体重を前にけり出して歩行するという、自然な歩行運動において重要な部分となっており、上記従来の突起部では、その位置および形状においてこの自然な歩行運動を十分にサポートするものではなかった。
【０００６】
本発明は、上記課題を解決して、外反母趾を予防しつつ、自然な歩行運動をサポートする前部に突起部を備えた中底とこの中底を備えた靴を提供することを目的とするものである。
【０００７】
【課題を解決するための手段】
本発明は上記課題に鑑み、本発明者による前足部の回内運動に関する以下の知見に基づき完成されたものである。
【０００８】
図５に示すように、自然な歩行運動では、まず、（ａ）のように踵部Ｈで着地したのち、（ｂ）のように前足部Ｆへ体重移動し、踵部Ｈの外甲側から母趾（第一趾）Ｍの付け根を結ぶ線を回転軸Ａとして、足裏面を水平下向きにしたとき足の甲側が体の中心方向に向くように前足部Ｆ（母趾Ｍ）が回転する回内運動(pronation) を行いながら、前足部で体重を前にけり出して歩行する。具体的には、上記回転軸Ａは、（ｃ）に示すように、上方から見て、足の長手方向の中心線Ｏに対して外甲側から内甲側へ約１６°〜２０°傾斜させたものである。（ｄ）に示す前足部Ｆの回内運動は、この回転軸Ａを中心として、前足部Ｆの内甲側が下方向ｂに、外甲側が上方向ａに回転する。（ｅ）に示す回外運動(supination)は、これとは逆に、足の裏側が体の中心方向に向くように前足部Ｆが回転するものであり、前足部Ｆの内甲側が上方向ａに、外甲側が下方向ｂに回転する。
【０００９】
上記回内運動においては、前足部で体重を前にけり出す際、前足部の母趾と第２趾に最も荷重がかかり、しかも反発力が必要となる。
図６（ａ）〜（ｃ）は、足部の骨格および第１〜３層筋群を示す平面図である。図６（ａ）において、母趾には第１中足骨４ａ、第１基節骨５ａのように符号ａを、第２趾には符号ｂ、以下同様にして…、第５趾には符号ｅを付している。同図のように、足根骨３と第１〜５中足骨４ａ〜４ｅ間に足根中足関節（ＭＴＰ関節）１１が形成されており、第１〜５中足骨４ａ〜４ｅと第１〜５基節骨５ａ〜５ｅ間に中足趾節関節１３が形成されており、第１基節骨５ａと第１末節骨６ａ間、および第２〜５基節骨５ｂ〜５ｅと第２〜５中節骨（または第２〜５末節骨）６ｂ〜６ｅ間にそれぞれ趾節間関節１５が形成されている。図６（ｂ）の第２層筋群に、長母趾屈筋７２および長趾屈筋７４が形成され、図６（ａ）、（ｃ）の第１、３層筋群にそれぞれ短趾屈筋７３、短母趾屈筋７１が形成されている。
【００１０】
図７（ａ）は、上記回内運動における歩行時のけり出し時を示す模式図、（ｂ）は、このけり出し時の前足部における例えば母趾部分を示す側面図である。
【００１１】
本発明では、この歩行運動のけり出し時における、母趾の短母趾屈筋７１および長母趾屈筋７２（第２〜５趾では短趾屈筋７３および長趾屈筋７４）の筋肉の緊張（ウィンドラス機構）に着目したものである。
すなわち、図７（ｂ）に示すように、けり出し時には、足関節は底屈運動をする。筋肉の力が弱っていたり靴の中で足が不安定な状態にある場合、中足趾節関節１３において、中足骨４ａの遠位部と第１基節骨５ａの近位部が下方（実線α）へ底屈するとともに、第１末節部６ａの遠位部が下方（実線γ）へ底屈する。また、趾節間関節１５において、第１基節骨５ａの遠位部と第１末節部６ａの近位部（第２趾では第２中節部６ｂの近位部）が上方（実線β）へ背屈運動する。この第１基節骨５ａの遠位部下方にはスペースＳ（および図示しない第２趾〜５趾の基節骨５ｂ〜５ｅの遠位部下方のスペース）があり、第１基節骨５ａ〜５ｅの遠位部は着地の際に地面から浮いた状態にある。
【００１２】
足底にある短母趾屈筋７１、長母趾屈筋７２などの屈筋群が緊張していくと、上記のように、足趾の各骨が実線α〜γのように運動をする。
【００１３】
このとき、中足趾節関節１３部分の屈筋群が過伸展し底屈しにくくなる。その結果、足趾の剛性は強くなるが、足趾が屈曲しながら地面をつかむ運動性が失われる。すると、回内運動がスムーズに安定して行われなくなり、歩行運動の際に、中足趾節関節、特に母趾と第２趾の中足趾節関節に負担がかかり、足趾が疲労しやすくなったり、中足趾節関節の下の皮膚が固くなりタコができたり、足趾を傷める場合があり、特に外反母趾の原因となる。
【００１４】
したがって、ＭＴＰ関節１１の前方（中足趾節関節１３の後方）の第１および第２中足骨４ａ、４ｂの遠位部下を支持（矢印Ｙ）するのが効果的である。また、この支持により、短母趾屈筋７１、長母趾屈筋７２などの屈筋群の負担を軽減するので、足趾が容易に屈曲運動を行うことができる。こうして、前足部の運動性が向上するので、その回内運動を円滑に行わせることができる。
【００１５】
また、下方にスペースＳがある第１基節骨５ａ〜５ｅの遠位部（趾節間関節１５の後方）を、着地の際に地面から浮いた状態にしないように、第１基節骨５ａ〜５ｅの遠位部下を支持するのも効果的である。この支持により、容易に第１基節骨５ａ〜５ｅの屈曲運動ができるようにして、足趾の運動性をより向上して、前足部の回内運動をより円滑に行わせることができる。
これらの第１および第２中足骨４ａ、４ｂの遠位部下および第１基節骨５ａ〜５ｅの遠位部下の支持により、特定の足趾の部分ではなく、全体で体を支え前に体を押し出す構造が形成される。
【００１６】
さらに、中足趾節関節の中で、母趾と第２趾に次いで負担が大きいのが第５趾の中足趾節関節である。そこで、第３趾と第４趾の第３、４中足骨４ｃ、４ｄの遠位部後方下を支持することにより、その第３趾と第４趾の短趾屈筋７３、長趾屈筋７４を支持して、それぞれの第３、４基節骨５ｃ、５ｄの働きを促し、結果的に第５趾の中足趾節関節１３への負担を分担し、足趾が無理なく屈曲運動を行うことができる。
【００１７】
一方、図８に示す足部の横のアーチ構造も、歩行時の柔軟性に不可欠な緩衝器としての働きを持つ。この横アーチは、中足趾節関節でつくる横のアーチと足根骨でつくる横のアーチである。上記中足趾節関節でつくる横のアーチを支えることにより、第３趾、第４趾の働きを良くし、母趾および第５趾にかかる負担を少なくすることができる。
【００１８】
本発明は、上記の知見に基づき、前部に突起部を備えた中底またはこの中底を備えた靴であって、上記突起部は、前足部の回内運動を円滑に行わせるように、平面視で略半月状に突設され、該半月状の凸となる方向がつま先方向に向いて形成されて、母趾および第２趾の中足骨を支持する第１の突起部を有するものである。
ここで、前足部の回内運動が円滑であるとは、足趾の運動性を確保しつつ、前足部が回内運動を行ない得ることをいう。
【００１９】
上記構成によれば、前足部のけり出しの際、母趾および第２趾の中足骨を支持することにより、中足趾節関節を支え、短母趾屈筋、長母趾屈筋および長趾屈筋を支えることで、足部の横アーチを支えウィンドラスを高めて、足の剛性を保持しながら、足趾の運動性を向上することができる。また、第１突起は平面視で略半月状に突設され、該半月状の凸となる方向がつま先方向に向いて形成されているので、足趾の形に沿って母趾と第２趾を自然に分離させることができ、また、母趾および第２趾の安定した支持が容易に得られる。これにより、外反母趾を予防しつつ、前足部の回内運動を円滑に行わせて、自然な歩行運動をサポートすることができる。
【００２０】
好ましくは、上記突起部は、前足部の回内運動を円滑に行わせるように、中足趾節関節の前方に突設されて、足趾の基節骨を支持する第２の突起部を有する。したがって、基節骨を支持することにより、容易に基節骨の屈曲運動ができるようにして、足趾の運動性をより向上して、前足部の回内運動をより円滑に行わせることができる。
【００２１】
好ましくは、上記突起部は、前足部の回内運動を円滑に行わせるように、平面視で半月状に突設されて、第３趾および第４趾の中足骨遠位部後方を支持する第３突起を有する。したがって、第３趾と第４趾の第３、第４中足骨の遠位部後方下を支持することにより、その第３趾と第４趾の短趾屈筋、長趾屈筋を支持して、それぞれの基節骨の働きを促し、結果的に第５趾の中足趾節関節への負担を分担し、足趾が無理なく屈曲運動を行うことができる。これにより、前足部の運動性がより向上するので、その回内運動をより一層円滑に行わせることができる。
【００２２】
好ましくは、上記中底を備えた靴は、靴底の土踏まず部に靴底の材質よりも硬い材質の細長いシャンク部を備え、上記シャンク部の長手方向に沿った中心線が、靴底に生じる上記前足部の回内運動の回転軸に平面視で合致しているか、またはほぼ平行である。したがって、シャンク部により靴底に前足部の回内運動の回転軸をつくることで、前足部の回内運動を助けることができる。
【００２３】
【発明の実施の形態】
以下、本発明の実施形態を図面に基づいて説明する。
図１は、本発明の一実施形態に係る前部に突起部を備えた中底の平面図、図２はこの中底を備えた靴の側面図を示す。図２に示すように、この靴は、靴底１０と中底１７と、その上部に取り付けられた甲被（アッパー）１５とを備えている。靴底１０は、例えばミッドソール１６およびアウトソール１８を備えており、中底１７は、例えば上記ミッドソール１６の上面に接合される中底ボード１４およびその上面のインソール１２を備えている。図２に示すように、突起部２８は、中底の中底ボード１４の前部に設けられている。なお、突起部２８をインソール１２に設けてもよい。
【００２４】
図１に示す中底ボード１４には、平面視で半月状に突設され、該半月状の凸となる方向がつま先方向に向いて形成されている第１突起２５が設けられており、この第１突起２５は、図３（ａ）に示すように、ＭＴＰ関節１１の前方に位置する母趾の第１中足骨４ａの下方、および（ｂ）に示すように、第２趾の第２中足骨４ｂの下方に位置する。
【００２５】
この第１突起２５が第１および第２中足骨４ａ、４ｂを支持することにより、図３（ａ）の母趾においては、短母趾屈筋７１および長母趾屈筋７２などの筋肉、図３（ｂ）の第２趾においては、短趾屈筋７３および長趾屈筋７４などの筋肉の負担を軽減することができ、中足趾節関節１３を支持することと相俟って足趾が一部の関節に負担が集中することなく、容易に屈曲運動をすることができる。また、第１、２中足骨４ａ、４ｂを予め少し支えることで、母趾および第２趾に力が入り易くなり、反発力も得られるので、底屈運動において足の剛性を保持しながら、足趾の運動性を向上することができる。これにより、外反母趾を予防しつつ、前足部の回内運動を円滑に行わせて、自然な歩行運動をサポートすることができる。
【００２６】
図２の第１突起２５は平面視で略半月状に形成されているので、足趾の形に沿って母趾と第２趾を自然に分離させることができ、また、従来のように、母趾と第２趾間に突起部を介在させることなく、母趾および第２趾の両方の中足骨を下方から支持するので、母趾および第２趾の安定した支持が容易に得られる。
【００２７】
図１に示す中底ボード１４には、第１突起２５より前方に突設された第２突起２６が設けられている。この第２突起２６は例えば平面視で略Ｖ字状に形成されており、図７（ｂ）に示す下方にスペースＳがある第１基節骨５ａ〜５ｅの遠位部（趾節間関節１５の後方）を、着地の際に地面から浮いた状態にしないように、第１基節骨５ａ〜５ｅの遠位部下を支持する。この例では、第１〜５基節骨５ａ〜５ｅの全体を支持する。
【００２８】
この第２突起２６が第１〜５基節骨５ａ〜５ｅを支持することにより、基節骨５ａ〜５ｅが底屈して容易に屈曲運動ができるようになり、足趾に力が入り易くなって、足趾の剛性をより一層向上させることができ、前足部の回内運動をより円滑に行わせることができる。
【００２９】
なお、この実施形態では、第２突起２６は基節骨５ａ〜５ｅを支持しているが、母趾と第２趾の基節骨５ａ、５ｂのみを支持するようにしてもよい。この場合、第２突起２６の形状を、第１突起２５と同様に、平面視で略半月状にしてもよい。
【００３０】
図１に示す中底ボード１４には、平面視で半月状に突設された第３突起２７が設けられている。この第３突起２７は、ＭＴＰ関節１１の前方で第２突起２６よりやや後方の第３趾および第４趾の第３、４中足骨４ｃ、４ｄの遠位部後方に位置する。
【００３１】
この第３突起２７が第３、４中足骨４ｃ、４ｄの遠位部後方下を支持することにより、その第３趾と第４趾の短趾屈筋７３、長趾屈筋７４（図６（ａ）（ｂ）参照）を支持して、それぞれの第３、４基節骨５ｃ、５ｄの働きを促し、結果的に第５趾の中足趾節関節１５への負担を分担し、足趾が無理なく屈曲運動を行うことができる。これにより、前足部の運動性がより向上するので、その回内運動をより一層円滑に行わせることができる。
【００３２】
また、上記第１および第３支持部２５、２７の支持により、歩行時の柔軟性に不可欠な緩衝器としての働きを持つ中足趾節関節１３でつくる横のアーチ（図８参照）を支えることができる。これにより、第３趾、第４趾の働きを良くし、横のアーチを支える第５趾や母趾にかかる負担を少なくすることができる。
【００３３】
上記第１〜第３支持部２５〜２７は、例えば、中底ボード１４の型成形時に、同時に型成形により形成される。
【００３４】
本発明にかかる靴は、さらに、上記前足部の回内運動をつくるために、図４に示すように靴底にシャンク部３０を備えている。図４（ａ）において、アウトソール１８の前部アウトソール２２と後部アウトソール２４間の中間に土踏まず部２０が位置しており、この土踏まず部２０に、上記前足部Ｆの回内運動の回転軸Ａに沿った方向を作る細長いシャンク部３０が形成されている。
【００３５】
図４（ａ）に示す土踏まず部２０のシャンク部３０は、例えばミッドソール１６の下面位置に、形状が平行四辺形の細長いプレート状に形成されており、その長手方向に沿った中心線が、靴底１０に生じる前足部の回内運動の回転軸Ａに平面視で合致している。このシャンク部３０は、靴底１０に前足部Ｆの回内運動の回転軸Ａとなるように、図２のシャンク部３０を除く靴底１０および中底１７、つまり、インソール１２、中底ボード１４、ミッドソール１６のシャンク部３０を除く部分、およびアウトソール１８（前部アウトソール２２、後部アウトソール２４）の各材質よりも硬い材質を有する。これらシャンク部３０を除く靴底１０および中底１７は、前足部Ｆの回内運動の際、シャンク部３０の回転軸Ａに沿って適切な変形や捩れを発生させて、前足部Ｆの回内運動を助ける。
【００３６】
図４（ｂ）に示すように、上記シャンク部３０は、ミッドソール１６とは別部材であり、例えば、ミッドソール１６の型成形の際に、インサート成形などにより形成される。
【００３７】
上記シャンク部３０には、例えばポリウレタン樹脂、ポリアミド樹脂およびポリカーボネート樹脂、鋼のような金属等が用いられる。インソール１２には、例えばＥＶＡ（エチレン・酢酸ビニル共重合体）、エラストマー樹脂、または弾性ポリウレタン、コルクまたはゴム等が用いられる。中底ボード１４には、例えば天然皮革、レザーボード、パルプボード、樹脂ボード等が用いられる。ミッドソール１６には、例えばＥＶＡスポンジ、ポリブタジエンスポンジまたは発泡ウレタン等が用いられる。アウトソール１８（前部アウトソール２２、後部アウトソール２４）には、例えばソリッドラバー、発泡ラバー、発泡ポリウレタンまたは発泡ポリブタジエン等が用いられる。
【００３８】
なお、この実施形態では、シャンク部３０の長手方向に沿った中心線が、靴底１０に生じる前足部の回内運動の回転軸Ａに平面視で合致しているが、平面視でほぼ平行であってもよい。
【００３９】
なお、この実施形態では、土踏まず部２０のシャンク部３０を、靴底１０のミッドソール１６の下面に設けているが、ミッドソール１６と中底ボード１４間に設けてもよく、また、中底１７のインソール１２と中底ボード１４間に設けてもよい。
【００４０】
また、この実施形態では、シャンク部３０の形状は、平行四辺形になっているが、前足部Ｆの回内運動の回転軸Ａ方向に細長い形状であればよく、長方形や楕円形等の形状でもよい。
【００４１】
【発明の効果】
以上のように、本発明によれば、前足部のけり出しの際、第１突起により母趾および第２趾の中足骨を支持することにより、外反母趾を予防しつつ、前足部の回内運動を円滑に行わせて、自然な歩行運動をサポートすることができる。
【図面の簡単な説明】
【図１】本発明の一実施形態に係る中底前部に突起部を備えた中底を示す平面図である。
【図２】図１の中底を備えた靴を示す側面図である。
【図３】（ａ）は母趾を示す概略側面図、（ｂ）は第２趾を示す概略側面図である。
【図４】（ａ）は図１の靴の底面図、（ｂ）は（ａ）のI-I 線断面図である。
【図５】（ａ）〜（ｄ）は前足部の回内運動を、（ｅ）は回外運動を示す模式図である。
【図６】（ａ）〜（ｃ）は、足部（右足）の骨格および第１〜３層筋群を示す平面図である。
【図７】（ａ）は歩行運動の模式図、（ｂ）は前足部（母趾）を示す側面図である。
【図８】足部の横のアーチ構造を示す模式図である。
【符号の説明】
３…足根骨、４ａ…第１中足骨、４ｂ…第２中足骨、５ａ〜５ｅ…趾節、１１…ＭＴＰ関節、１３…中足趾節関節、１４…中底ボード、１６…インソール、２０…土踏まず部、２５…第１突起、２６…第２突起、２７…第３突起、２８…突起部、３０…シャンク部。
【図１】
0004841736.tif 000002
【図２】
0004841736.tif 000003
【図３】
0004841736.tif 000004
【図４】
0004841736.tif 000005
【図５】
0004841736.tif 000006
【図６】
0004841736.tif 000007
【図７】
0004841736.tif 000008
【図８】
0004841736.tif 000009